(57)【要約】【課題】タグを備えた玉箱がゲートを通過した時、確実に警報音を鳴らす事ができるパチンコ玉箱を提供することにある。【解決手段】本発明のパチンコ玉箱は、パチンコ玉収納用の短辺壁と長辺壁と底面を有する方形型玉箱であって、短辺壁部の外側には把持部を備え、把持部は筒状形状であって、把持部の外側より着脱自在の蓋を係合する事により、把持部内側に収納部を作り、収納部にタグを収納する事を最も主要な特徴とする。【選択図】図１
2009131388.tif 000002
【特許請求の範囲】
【請求項１】
パチンコ玉収納用の短辺壁と長辺壁と底面を有する方形型玉箱であって、短辺壁部の外側には把持部を備え、把持部は筒状形状であって、把持部の外側より把持部蓋を係合あるいは、接着固定する事により、把持部内側に収納部を作り、収納部にタグを収納する事を特徴とするタグ収納パチンコ玉箱。
【発明の詳細な説明】
【技術分野】
【０００１】
本発明は、タグを備えることができるパチンコ玉箱に関するものである。
【背景技術】
【０００２】
従来、等価交換の店でパチンコをする場合、概ね一玉３円で購入していが、近年一玉１円程度で購入する１円パチンコが流行り始めてきた。パチンコ店も店のスペースにて従来の３円パチンコフロアーと、１円パチンコフロアーを持つ店も出始めている。この時、１円で購入したパチンコ玉を使用し、３円パチンコ台で遊ばれたのでは、店の経営は成り立たない。このようなパチンコ店では１円パチンコフロアーと３円パチンコフロアー間にゲートを設け、ゲート間でのパチンコ玉の移動を禁止している。しかしながら、定員の見ていいない時にゲートを超える者もいる。
【０００３】
この為、パチンコ店では玉箱の底にタグを貼り付け、タグを付けた玉箱が異なるフロアー間のゲートを通過する際、警告音を出すようにしている。これはゲート間に流れる電波に対し、タグがゲートを通過する事によって、ゲート間の電波を乱し、電波が乱れたことを関知すると警報音がなる仕組みである。しかしながら底面に貼ったタグの上にパチンコ玉が乗ることで、タグが通過した場合でも警告音が出ない時もあった。
【０００４】
また、実願平１１−８４４３のパチンコホールにおける玉箱にて、遊技台グループを判別する識別データを記録した無線タグを玉箱に備える提案がある。
【特許文献１】実願平１１−８４４５号
【発明の開示】
【発明が解決しようとする課題】
【０００５】
本発明は、タグを備えた玉箱がゲートを通過した時、確実に警報音を鳴らす事ができるパチンコ玉箱を提供することにある。
【課題を解決するための手段】
【０００６】
上記目的を達成するため本発明のパチンコ玉箱は、パチンコ玉収納用の短辺壁と長辺壁と底面を有する方形型玉箱であって、短辺壁部の外側には把持部を備え、把持部は筒状形状であって、把持部の外側より把持部蓋を係合あるいは、接着固定する事により、把持部内側に収納部を作り、収納部にタグを収納する事を最も主要な特徴とする。
【発明の効果】
【０００７】
本発明のタグ収納パチンコ玉箱は、パチンコ玉を保持する方形の箱部に対し、距離をとった把持部の中にタグを配する事により、タグはパチンコ玉の影響を受けにくく、ゲートを通過した時ゲートの間に流れる電波を乱し、これによりゲートから警告音を発しやすくなったパチンコ玉箱を提供することができた。
【発明を実施するための最良の形態】
【０００８】
タグ収納パチンコ玉箱の望ましい形状は、短辺壁部の外側は把持部を備え、把持部は極力方形型玉箱部から放すことが望ましい。また、把持部の蓋は、タグの交換性を考えると、着脱自在とすべきではあるが、一般遊戯者などが容易に蓋を外す事は避ける必要が有り、そのため把持部の蓋は、ビスを使った固定の方が望ましい。また、把持部の収納部にタグを他に固定せず置くだけとする事もできるが、玉箱を動かした場合、タグがガタ付くため、把持部蓋の内側、または、把持部内壁になどに貼り付けする事が望ましい。
【実施例１】
【０００９】
本発明の実施形態について詳しく説明する。本実施例で説明する形状は、これを限定する物ではない。図１は、本発明のタグ収納パチンコ玉箱の斜視図である。１は底面を示し、２、３は長辺壁、４，５は短辺壁、６，７は把持部、８は把持部内壁、９は係合凹部である。この時、底面１、長辺壁２，３、短辺壁４，５で区切られた空間がパチンコ玉収納部となる。把持部は手で握る部分である為、筒状形状が望ましいが、筒状とは単に円形を指すものではなく、外壁に対し、内側が抉られた形状をさす。
【００１０】
図２は、把持部キャップの斜視図であり、図３は、図２の把持部キャップを裏面方向から見た斜視図である。１０は、把持部蓋であり、１１は上部板、１２は下部板、１３、１４は係合爪である。
【００１１】
図４は、電波タグの斜視図である。２０は電波タグである。タグには電波タグ以外に、磁気タグもある。ここでいうタグとは、タグがゲートを通過したことを検出できる物を言う。検出結果は、警報音を鳴らす、回転灯を点灯回転する、情報をパソコン上の画面に表示するなどもある。
【００１２】
図５は、把持部キャップに電波タグを貼りつけた状態を示す斜視図である。図では把持部内側に板を二枚持った状態の図になっているが、板の枚数などは関係なく、タグを貼りつければ良い。
【００１３】
図６は、図５の電波タグを貼りつけた把持部キャップをタグ収納パチンコ玉箱の係合した状態を示す斜視図である。係合方法として、図では、該把持部内壁８に係合凹部９を配し、把持部蓋の係合爪１３，１４が着脱自在に係合する状態を示している。蓋の係合は、爪式、ネジ式または、ビスによる固定もあるが、さらに強力にする為に、接着剤または、溶着などにより完全に固定する場合もある。
【００１４】
把持部７に把持部蓋１０を係合あるいは接着固定により、パチンコ玉箱の把持部内壁と把持部蓋で囲まれた空間が収納部となり、この収納部に納められたタグは、玉箱のパチンコ玉収納部に収納されたパチンコ玉の影響を受けにくく、よってゲートに対し、タグが適切に働く環境を与える事ができる。
【産業上の利用可能性】
【００１５】
本発明のタグ収納パチンコ玉箱は、ゲートで区切られた１円パチンコフロアーと、３円パチンコフロアーを持つパチンコ店に於いて、フロアー共通のパチンコ玉箱として使用できる。
【図面の簡単な説明】
【００１６】
【図１】本発明のタグ収納パチンコ玉箱の斜視図である。
【図２】把持部キャップの斜視図である。
【図３】図２の把持部キャップを裏面方向から見た斜視図である。
【図４】電波タグの斜視図である。
【図５】把持部キャップに電波タグを貼りつけた状態を示す斜視図である。
【図６】図５の電波タグを貼りつけた把持部キャップをタグ収納パチンコ玉箱の係合した状態を示す斜視図である。
【符号の説明】
【００１７】
１    底面
２    長辺壁
３    長辺壁
４    短辺壁
５    短辺壁
６    把持部
７    把持部
８    把持部内壁
９    係合凹部
１０    把持部蓋
１１    上部板
１２    下部板
１３    係合爪
１４    係合爪
２０    電波タグ
【図１】
2009131388.tif 000003
【図２】
2009131388.tif 000004
【図３】
2009131388.tif 000005
【図４】
2009131388.tif 000006
【図５】
2009131388.tif 000007
【図６】
2009131388.tif 000008